(57)【要約】【課題】監視サーバによる保守管理システム及び保守管理方法に関し、構成部品の故障予兆によって、システムダウンとなる前に交換等の保守を行う。【解決手段】複数の通信装置３を監視サーバ１により監視する保守管理システム及び保守管理方法であって、複数の通信装置３は、構成部品対応の使用頻度情報を記録する状態記録部３４と、その使用頻度情報に対する閾値を設定し、この閾値を使用頻度情報の値が超えた時に、故障予兆通知を送出する閾値設定部３３とを備え、監視サーバ１は、通信装置３の状態記録部３４に記録された構成部品の使用頻度情報を収集する状態収集部１３と、この状態収集部１３により収集した構成部品対応の使用頻度情報を基に故障予測を行い、且つ通信装置３からの構成部品対応の故障通知に基づいて、その構成部品対応の閾値を更新処理する故障予測部１２とを備えている。【選択図】図２
2009205221.tif 000002
【特許請求の範囲】
【請求項１】
複数の通信装置を監視サーバにより監視する保守管理システムに於いて、
前記通信装置は、構成部品対応の使用頻度情報を記録する状態記録部と、前記使用頻度情報に対する閾値を設定し、該閾値を前記使用頻度情報の値が超えた時に、故障予兆通知を送出する閾値設定部とを備え、
前記監視サーバは、前記通信装置の前記状態記録部に記録された構成部品の使用頻度情報を収集する状態収集部と、該状態収集部により収集した前記構成部品対応の前記使用頻度情報を基に故障予測を行い、且つ前記通信装置からの構成部品対応の故障通知に基づいて該構成部品対応の前記閾値を更新処理する故障予測部とを備えた
ことを特徴とする保守管理システム。
【請求項２】
複数の通信装置を監視サーバにより監視する保守管理方法に於いて、
前記通信装置は、状態記録部に構成部品対応の使用頻度情報を記録し、該使用頻度情報と閾値設定部に設定した閾値とを比較し、該閾値を前記使用頻度情報の値が超えた時に、前記監視サーバに対して故障予兆通知を行う過程を含み、
前記監視サーバは、状態収集部により前記通信装置の前記状態記録部に記録した使用頻度情報を収集し、前記通信装置からの構成部品の故障通知により前記通信装置の閾値設定部に設定した閾値を更新する過程を含む
ことを特徴とする保守管理方法。
【発明の詳細な説明】
【技術分野】
【０００１】
本発明は、複数の通信装置とネットワークを介して監視サーバとを接続し、監視サーバ側で収集した通信装置からの故障情報を基に、各通信装置に於ける故障予兆を行う為の閾値の更新制御を行って、信頼性を維持する保守管理システム及び保守管理方法に関する。
【背景技術】
【０００２】
近年の通信装置の開発に於いては、リードタイム（Ｌｅａｄ  Ｔｉｍｅ）が短くなり、評価期間を充分に確保することは困難となる傾向にある。又通信装置の各種の構成部品は、処理速度の向上と小型化とが図られており、その結果として温度上昇も大きくなり、耐用寿命が短くなる傾向にある。又通信装置の各種の構成部品は、ＭＴＢＦ（Ｍｅａｎ  Ｔｉｍｅ  Ｂｅｔｗｅｅｎ  Ｆａｉｌｕｒｅｓ；平均故障間隔）を定めて、運用開始からの経過時間等により、構成部品を交換して、通信装置としての信頼性を維持する手段が知られている。しかし、通信装置の高機能化に伴って構成部品数が多くなり、それらの構成部品毎の交換等の管理は複雑化している。
【０００３】
又複数の通信装置とそれらを監視する監視装置とを設けた局舎が複数個所に設置された通信システムに於いて、遠隔監視機能部と遠隔保守機能部とを設けて、各局舎の監視装置からの障害発生情報を遠隔監視機能部により収集し、一定期間内の障害発生回数をカウントし、そのカウント値が所定数を超えた時に、遠隔保守機能部のデータベースを参照し、障害発生の構成部品対応の修理履歴情報等を基に警告を発生する保守管理統合システムが提案されている（例えば、特許文献１参照）。
【特許文献１】特開２００３−２４２２７７号公報
【発明の開示】
【発明が解決しようとする課題】
【０００４】
複数の通信装置を遠隔監視するシステムは、通信網の発達に伴って既に各種の構成のシステムが提案されている。このような従来のシステムは、通信システムとしての障害発生時に、各通信装置から状態情報等を収集して、障害発生個所を探索し、その障害発生個所を修復するものであり、通常は、その障害発生から障害回復までの時間の短縮を図ることに重点をおく場合が多いものである。しかし、このように、システムダウン状態となる前に、障害発生個所を予測して、構成部品交換等により障害発生を回避することが望ましいことになる。そこで、前述の特許文献１に示す保守管理手段を適用して、障害発生予兆を行うことが考えられる。しかし、この保守管理手段は、或る通信装置の構成部品についての障害発生予兆情報を発生することは可能であるが、その構成部品を使用している他の複数の通信装置については、その構成部品についての障害発生予兆情報は、それぞれ異なるタイミングで発生する可能性が大きく、従って、保守管理が複雑化する問題がある。
【０００５】
本発明は、従来の問題点を解決することを目的とし、複数の通信装置の同一品種の構成部品についての使用頻度情報が閾値を超えた時に、故障予兆として通知し、その構成部品の交換等の保守を行って、システムダウンを未然に防止するものである。
【課題を解決するための手段】
【０００６】
本発明の保守管理システムは、複数の通信装置を監視サーバにより監視する保守管理システムであって、前記通信装置は、構成部品対応の使用頻度情報を記録する状態記録部と、その使用頻度情報に対する閾値を設定し、この閾値を使用頻度情報の値が超えた時に、故障予兆通知を送出する閾値設定部とを備え、監視サーバは、通信装置の状態記録部に記録された構成部品の使用頻度情報を収集する状態収集部と、この状態収集部により収集した構成部品対応の使用頻度情報を基に故障予測を行い、且つ通信装置からの構成部品対応の故障通知に基づいて、その構成部品対応の閾値を更新処理する故障予測部とを備えている。
【０００７】
又本発明の保守管理方法は、通信装置の状態記録部に構成部品対応の使用頻度情報を記録し、この使用頻度情報と閾値設定部に設定した閾値とを比較し、この閾値を使用頻度情報の値が超えた時に、監視サーバに対して故障予兆通知を行う過程と、監視サーバは、状態収集部により通信装置の状態記録部に記録した使用頻度情報を収集し、通信装置からの構成部品の故障通知により、通信装置の閾値設定部に設定した閾値を更新する過程を含むものである。
【発明の効果】
【０００８】
複数の通信装置の構成部品が略同一構成を有し、何れかの通信装置の構成部品が耐用期間前に故障が発生した場合、他の通信装置に於ける同一の構成部品にも故障が発生する確率が高くなるから、構成部品の使用頻度情報と比較する閾値を監視サーバから更新して、システムダウンする前に、故障予兆を行うことを可能とし、構成部品の交換保守等によりシステムの信頼性を向上することができる。
【発明を実施するための最良の形態】
【０００９】
本発明の保守管理システムは、図２を参照して説明すると、複数の通信装置３を監視サーバ１により監視する保守管理システムであって、通信装置３は、構成部品対応の使用頻度情報を記録する状態記録部３４と、その使用頻度情報に対する閾値を設定し、この閾値を使用頻度情報の値が超えた時に、故障予兆通知を送出する閾値設定部３３とを備え、監視サーバ１は、通信装置３の状態記録部３４に記録された構成部品の使用頻度情報を収集する状態収集部１３と、この状態収集部１３により収集した構成部品対応の使用頻度情報を基に故障予測を行い、且つ通信装置３からの構成部品対応の故障通知に基づいて、その構成部品対応の閾値を更新処理する故障予測部１２とを備えている。
【００１０】
本発明の保守管理方法は、通信装置３の状態記録部３４に構成部品対応の使用頻度情報を記録し、この使用頻度情報と閾値設定部３３に設定した閾値とを比較し、この閾値を使用頻度情報の値が超えた時に、監視サーバ１に対して故障予兆通知を行う過程と、監視サーバ１は、状態収集部１３により通信装置３の状態記録部３４に記録した使用頻度情報を収集し、通信装置３からの構成部品の故障通知により、通信装置３の閾値設定部３３に設定した閾値を更新する過程を含むものである。
【実施例１】
【００１１】
図１は、本発明の実施例１の処理説明図であり、１は監視サーバ、２はＨＭＩ（Ｈｕｍａｎ  Ｍａｃｈｉｎｅ  Ｉｎｔｅｒｆａｃｅ）端末、３−１，３−２，３−３は通信装置、４はネットワークを示す。通信装置３−１〜３−３は、ネットワーク４を介して相互間で通信可能に接続されているもので、簡略化の為に３台のみ図示しているが、更に多数設けて、それぞれネットワーク４を介して接続されるものである。又監視サーバ１は、ネットワーク４を介して各通信装置３−１〜３−３と接続されて、一点鎖線矢印で示すように、通信可能の構成を有するものである。なお、監視サーバ１は、通信装置３−１〜３−３間で通信を行うネットワーク４とは別の伝送路を介して、各通信装置３−１〜３−３との間で障害情報等を伝送可能に接続した構成とすることも可能である。又ＨＭＩ端末２は、監視サーバ１と一体的な構成とすることも可能である。
【００１２】
又通信装置３−１〜３−３は、構成部品対応にアクセス回数、使用継続時間等の使用頻度情報を記録し、その使用頻度情報と予め設定した閾値と比較し、閾値を超えた場合に、監視サーバ１に対して故障予兆通知を行う機能と、監視サーバ１からの閾値更新制御により、閾値を更新する機能を含むものである。又監視サーバ１は、通信装置３−１〜３−３から収集した使用頻度情報、故障発生情報、故障予兆情報等を基に、通信装置３−１〜３−３の閾値の設定更新を行う機能と、ＨＭＩ端末２に必要情報を表示させる機能とを含むものである。
【００１３】
図２は、本発明の実施例１の要部ブロック図であり、監視サーバ１とＨＭＩ端末２と通信装置３とについて示し、１１はコマンド処理部、１２は故障予測部、１３は状態収集部、２１はランプや液晶表示パネル等による警告表示部、３１は通信制御処理部、３２はコマンド処理部、３３は閾値設定部、３４は状態記録部、３５はハードディスク、３６は半導体集積回路等によるメモリ、３７は状態表示部を示す。監視サーバ１は、前述のように、ネットワーク４を介して通信装置３との間で各種の情報を転送可能とした構成を有するものであり、コマンド処理部１１と故障予測部１２と状態収集部１３との主要部を図示しているが、他の構成要素も含むものである。
【００１４】
又ＨＭＩ端末２は、各種構成のディスプレイ機能を有する警告表示部２１を含む構成を図示しているが、監視サーバ１の端末として機能する既に知られている各種の構成を含むものである。又通信装置３は、通信制御処理部３１と、コマンド処理部３２と、閾値設定部３３と、状態記録部３４と、ハードディスク３５と、メモリ３６と、状態表示部３７とを含む構成を有する場合を示し、既に知られている図示を省略した制御処理機能部等も含むものである。又通信制御処理部３１は、他の通信装置との間の通信制御を行うと共に、通信装置内の各部を制御する機能を含むものである。
【００１５】
又通信装置３の構成部品として代表的なハードディスク３５とメモリ３６とを示し、それぞれに対するアクセス回数等を使用頻度情報として状態記録部３４に記録する場合を示す。なお、他の構成部品についても、その構成部品対応の使用回数や使用継続時間等を使用頻度情報として状態記録部３４に記録する。又閾値設定部３３は、各構成部品対応のアクセス回数や使用継続時間等の使用頻度情報に対する閾値を設定して、状態記録部３４に記録された使用頻度情報と、設定された閾値とを比較し、使用頻度情報が閾値を超えた場合、コマンド処理部３２へ通知する。この通知により、コマンド処理部３２は、監視サーバ１に対して構成部品対応の故障予兆情報の送信制御を行う。又閾値設定部３３に設定する初期閾値は、例えば、構成部品対応に、それぞれの耐用寿命を基に決定するものであり、例えば、耐用寿命の８０％の値を初期閾値として設定することができる。この閾値は、監視サーバ１に於いて収集した各通信装置からの使用頻度情報や故障発生情報を基に、同一品種の構成部品については、同一の閾値となるように、監視サーバ１からの制御によって更新するものである。
【００１６】
図３は、本発明の実施例１のシーケンス説明図であり、図１に対応した通信装置３−１〜３−３と、監視サーバ１と、ＨＭＩ端末２とを示し、監視サーバ１は、コマンド処理部１１と状態収集部１３との処理機能によって、通信装置３−１〜３−３の情報記録部３４（図２参照）に記録されたアクセス回数や使用回数等の使用頻度情報を、情報収集として示すように、コマンド処理部３２を介して収集して蓄積する。そして、故障発生として示すように、運用中の例えば通信装置３−２の構成部品の故障発生時には、通信装置３−２のコマンド処理部３２から監視サーバ１のコマンド処理部１１へ、構成部品の故障通知を行う。監視サーバ１のコマンド処理部１１は、ＨＭＩ端末２に対してその故障通知を転送し、通信装置３−２に発生した故障内容を表示させると共に、状態収集部１３を介して、又はコマンド処理部１１から故障通知を故障予測部１２へ転送する。故障予測部１２は、故障閾値更新処理として示すように、故障発生構成部品対応のそれまでに収集した使用頻度情報と、設定した閾値との関係を基に、閾値を低下させる方向の更新処理を行う。更新した閾値を、各通信装置３−１〜３−３に対して、故障閾値更新設定として示すように、更新設定を行う。各通信装置３−１〜３−３は、閾値設定部３３の構成部品対応の閾値を更新する。
【００１７】
又例えば、通信装置３−３に於いて、故障閾値超過として示すように、状態記録部３４に記録された構成部品の使用頻度情報が、閾値設定部３３に設定された構成部品対応の閾値を超えると、コマンド処理部３２から監視サーバ１に対して故障予兆通知を送出する。監視サーバ１は、ＨＭＩ端末２に故障予兆通知に従った情報を転送し、通信装置３の構成部品とその故障予兆とを表示し、又通信装置３−３に於いても故障予兆表示を行う。それによって、故障予兆表示の構成部品の交換準備を行い、実際の故障発生前に構成部品の交換を行うことができる。又通信装置３−１〜３−３は、構成部品の故障発生時や故障予兆通知を行った時に、その状態を表示するランプ等の表示手段を設けることができる。
【図面の簡単な説明】
【００１８】
【図１】本発明の実施例１の説明図である。
【図２】本発明の実施例１の要部ブロック図である。
【図３】本発明の実施例１のシーケンス説明図である。
【符号の説明】
【００１９】
１  監視サーバ
２  ＨＭＩ端末
３−１〜３−３  通信装置
４  ネットワーク
１１，３２  コマンド処理部
１２  故障予測部
１３  状態収集部
２１  警告表示部
３１  通信制御処理部
３３  閾値設定部
３４  状態記録部
【図１】
2009205221.tif 000003
【図２】
2009205221.tif 000004
【図３】
2009205221.tif 000005